(57)【特許請求の範囲】
【請求項１】
ミラーの位置決めをする略円柱状のピンと同ピンの側面に前記ミラーを接触させて挟持する取付金具により前記ミラーを一定位置に保持するミラー保持構造において、前記取付金具は略Ｌ字状とし、同Ｌ字状の一端を前記ピンの軸を中心として回動自在に軸着することを特徴としたミラーの保持構造。
【請求項２】
前記ピンの取付金具を軸着する部分の外周に、同ピンの軸と直角方向の溝を設け、同取付金具の軸着部分に開口した穴の内周を前記溝に外嵌することを特徴とした請求項１記載のミラーの保持構造。
【請求項３】
前記取付金具に開口した穴は、ミラーに近い所に開口した前記ピンが貫通できる外径を有する穴と、同穴に連結するミラーに遠い所に開口した前記ピンの外周に設けた溝の底部の外径と略同一の内径を有する穴からなることを特徴とした請求項２記載のミラーの保持構造。
【請求項４】
前記取付金具は、板バネで構成することを特徴とした請求項１、請求項２又は請求項３記載のミラーの保持構造。
【請求項５】
取付金具の材料はリン青銅とすることを特徴とした請求項４記載のミラーの保持構造。
【請求項６】
板バネのミラーを挟持する先端の側面は、略２字の上端状とし、その上面部分に開口を設けることを特徴とした請求項４記載のミラーの保持構造。
【請求項７】
前記ピンは、前記ミラーを取り付けるシャーシに開口した穴に圧入して取り付けることを特徴とした請求項１記載のミラーの保持構造。
【請求項８】
前記ピンは３本とし、前記ミラーを３点保持することを特徴とした請求項１記載のミラーの保持構造。
【請求項９】
前記略円柱形のピンは、前記ミラーが接触する部分を最大外径とする樽型とすることを特徴とした請求項１記載のミラーの保持構造。
【請求項１０】
前記略円柱形のピンは、前記ミラーが接触する部分に球面を有する凸部を設けることを特徴とした請求項１記載のミラーの保持構造。
【請求項１１】
前記取付金具は、ミラーがピンに接触する近傍で略平面とすることを特徴とした請求項９又は請求項１０記載のミラーの保持構造。
【発明の詳細な説明】
【０００１】
【発明の属する技術分野】
本発明は、液晶プロジェクタ等に使用する保持によるミラー面の歪みの少ないミラーの保持構造に関する。
【０００２】
【従来の技術】
図４は、従来のミラーの保持構造の１例の（Ａ）正面図、（Ｂ）側面図（同図ｃーｃ拡大断面）、（Ｃ）平面図である。液晶プロジェクタ等のシャーシ４１にミラー４２を保持するとき、シャーシに内側にピン４１ａを立て同ピンの側面にミラー４２を接触させ取付金具４３で挟んで止める。取付金具４３はネジ４５等でシャーシ４１に固着してある。しかし、このような構造では、取付金具をネジ４５で取り付けるときに、取付金具自体にもネジの回転方向への回転力を受けるため、取付金具４３のミラー４２との接触部をミラー４２の面と一致させることが困難で、ミラーに応力が掛かり歪みが発生するおそれがある。また、取付金具４３をネジ止めする手間が掛かるという問題もある。
【０００３】
【発明が解決しようとする課題】
本発明は上記問題点に鑑みなされたもので、ミラーに応力を掛けず、また、取り付けの容易なミラーの保持技術を提供することを目的とする。
【０００４】
【課題を解決するための手段】
液晶プロジェクタ等のシャーシの内側にピンを立て、同ピンの側面との間にミラーを挟んで止める取付金具を、前記ピンの軸を中心に回動自在に取り付けることにより、取付金具がミラーの面の方向に従ってピンを軸に回転するため、取付金具のミラー面との接触部が容易にミラー面と一致し、ミラー面に均一な力で接触するため、ミラーに掛かる応力が小さくなる。また、取付金具がピンとミラーを挟持する箇所が常にピンと最短距離となり、取付金具とピンのミラーを挟持する力点が一致するためミラーへの無理な応力は最小となり、従って取付のため生ずるミラー面の歪みを最小に押さえることができる。
【０００５】
【発明の実施の形態】
ミラーの位置決めをする略円柱状のピンと同ピンの側面に前記ミラーを接触させて挟持する取付金具により前記ミラーを一定位置に保持するミラー保持構造において、前記取付金具は略Ｌ字状とし、同Ｌ字状の一端を前記ピンの軸を中心として回動自在に軸着する。
【０００６】
ピンの取付金具を軸着する部分の外周に、同ピンの軸と直角方向の溝を設け、同取付金具の軸着部分に開口した穴の内周を前記溝に外嵌する。
【０００７】
取付金具に開口した穴は、ミラーに近い所に開口した前記ピンが貫通できる外径を有する穴と、同穴に連結するミラーに遠い所に開口した前記ピンの外周に設けた溝の底部の外径と略同一の内径を有する穴からなる達磨型の穴とする。
【０００８】
取付金具は、板バネで構成する。また、取付金具の材料はリン青銅とする。
【０００９】
板バネのミラーを挟持する先端の側面は、略２字の上端状とし、その上面部分に開口を設ける。
【００１０】
ピンは、前記ミラーを取り付けるシャーシに開口した穴に圧入して取り付ける。さらに、ピンは３本とし、前記ミラーを３点で保持する。
【００１１】
略円柱形のピンは、前記ミラーが接触する部分を膨らまして、その部分が最大外径となるような樽型とする。あるいは、ピンのミラーが接触する部分に球面を有する凸部を設ける。
【００１２】
取付金具は、ミラーが樽型又は球面のピンに接触する近傍で略平面になるようにする。
【００１３】
【実施例】
以下、本発明のミラーの保持構造について図面を用いて説明する。図１は、本発明によるミラー保持構造の１実施例の（Ａ）正面図、（Ｂ）側面図（同図ｃーｃ拡大断面）、（Ｃ）平面図（同図ｃ２ーｃ２断面）である。液晶プロジェクタ等のシャーシ１にミラー２を保持するとき、シャーシにピン４を立て同ピンの側面にミラー２を接触させ取付金具３で挟んで止める。取付金具３の側面は略Ｌ字形とし、その一端３ａには穴３ｄを開け、ピン４の外周に設けた溝４ａに嵌め込んで、ピン４の軸を中心として回動自在に軸着する。
【００１４】
取付金具３の一端３ａに開ける穴は、ミラー２に近い所にピン４の頭部４ｃが貫通できる大きさの穴３ｃを開口し、穴３ｃに連結してミラー２から遠い所に、内径がピン４の外周に設けた溝４ａの底部４ｂの外周と等しいか僅かに大きい穴３ｄを設ける。穴３ｃと３ｄが連結して達磨型を構成する。取付金具３の穴３ｃをピン４の頭部４ｃに貫通して、溝４ａに穴３ｄを外側から嵌め込むことで、取付金具がワンタッチでピン４に取り付けられる。
【００１５】
なお、取付金具３はリン青銅などの弾力を有する材料からなる板バネで構成することで、ミラー２を精度良く保持できる。
【００１６】
Ｌ字形の取付金具３の他端３ｂの側面は２字の上部と同様な形状とし、その上面に相当する部分に穴３ｅを設け、ミラー２を取り付けるときは、穴３ｅにキリの先端等を掛けてバネを開いてピン４との間にミラー２を挟んで止める構造とする。
【００１７】
ピン４には頭部４ｃとつば４ｄを設けておき、シャーシ１に開けた穴にピン４の頭部４ｃをつば４ｄまで圧入して止めることで、ピン４がシャーシ１に対して容易に、位置精度良く止めることができる。
【００１８】
図１の（Ａ）正面図において、取付金具３、３、３及びそれと組になるピン４、４、４は各々３組設け、ミラー２はシャーシ１に３点支持とすることができる。
【００１９】
図２は、本発明のミラーの保持構造の他の実施例の要部断面図である。液晶プロジェクタ等のシャーシ２１にミラー２２を保持するとき、シャーシにピン２４を立て同ピンの側面にミラー２２を接触させ取付金具２３で挟んで止める。この実施例では、ピン２４のミラーと接触する部分２４ａを膨らまして樽状してある。
【００２０】
図３は、本発明のミラーの保持構造の別の実施例の要部断面図である。液晶プロジェクタ等のシャーシ３１にミラー３２を保持するとき、シャーシにピン３４を立て同ピンの側面にミラー３２を接触させ取付金具３３で挟んで止める。この実施例では、ピン３４のミラーと接触する部分に、略球形の凸部３４ａを設けてある。また、取付金具３３は、ミラー３２がピン３４に接触する部分の近傍で平面部３３ｂを有する構造としてある。
【００２１】
【発明の効果】
本発明は、以上説明したような形態で実施され、以下に記載するような効果を奏する。
【００２２】
ミラーの位置決めをする略円柱状のピンと同ピンの側面に前記ミラーを接触させて挟持する取付金具により前記ミラーを一定位置に保持するミラー保持構造において、前記取付金具は略Ｌ字状とし、同Ｌ字状の一端を前記ピンの軸を中心として回動自在に軸着することで、取付金具のミラー面との接触部が容易にミラー面と一致し、ミラー面に均一な力で接触するため、ミラーに掛かる応力が小さくなる。また、取付金具がピンとミラーを挟持する箇所が常にピンと最短距離となり、取付金具とピンのミラーを挟持する力点が一致するためミラーの応力は最小となり、従って取付のため生ずるミラー面の歪みを最小に押さえることができる。
【００２３】
ピンの取付金具を軸着する部分の外周に、同ピンの軸と直角方向の溝を設け、同取付金具の軸着部分に開口した穴の内周を前記溝に外嵌することで、ビスなしでワンタッチで取付金具をピンの軸を中心に回動自在に取り付けられる。
【００２４】
取付金具に開口した穴は、ミラーに近い所に開口した前記ピンが貫通できる外径を有する穴と、同穴に連結するミラーに遠い所に開口した前記ピンの外周に設けた溝の底部の外径と略同一の内径を有する穴からなる達磨型の穴とすることで、取付金具が容易に取り付けられ、かつ一旦取り付けた後は容易に外れない構造とすることができる。
【００２５】
取付金具は、リン青銅等からなる板バネで構成することで、ピンとの間でミラーを精度良く挟持できる。
【００２６】
板バネのミラーを挟持する先端の側面は、略２字の上端状とし、その上面部分に開口を設けることで、ミラーの取付作業が容易となる。
【００２７】
ピンは、前記ミラーを取り付けるシャーシに開口した穴に圧入して取り付けることで、ピンをシャーシに対して位置精度良く取り付けられる。さらに、ピンは３本とし、前記ミラーを３点で保持することで、ミラーの面位置が１つに決定され安定に保持される。
【００２８】
略円柱形のピンは、前記ミラーが接触する部分を膨らまして、その部分が最大外径となるような樽型とする。あるいは、ピンのミラーが接触する部分に球面を有する凸部を設けることで、ピンの軸方向の位置精度の誤差によるミラーへの応力が吸収できる。
【００２９】
取付金具は、ミラーが樽型又は球面のピンに接触する近傍で略平面になるようにすることで、取付金具とピンのミラーとの接触する力点のズレをカバーできる。
【図面の簡単な説明】
【図１】本発明によるミラーの保持構造の１実施例の（Ａ）正面図、（Ｂ）側面図（同図ｃーｃ拡大断面）、（Ｃ）平面図（同図ｃ２ーｃ２断面）である。
【図２】本発明のミラーの保持構造の他の実施例の要部断面図である。
【図３】本発明のミラーの保持構造の別の実施例の要部断面図である。
【図４】従来のミラーの保持構造の１例の（Ａ）正面図、（Ｂ）側面図（同図ｃーｃ拡大断面）、（Ｃ）平面図である。
【符号の説明】
１  シャーシ
２  ミラー
３  取付金具
４  ピン
２１  シャーシ
２２  ミラー
２３  取付金具
２４  ピン
３１  シャーシ
３２  ミラー
３３  取付金具
３４  ピン
４１  シャーシ
４１ａ  ピン
４２  ミラー
４３  取付金具
４５  ネジ
【図１】
0003550856.tif 000002
【図２】
0003550856.tif 000003
【図３】
0003550856.tif 000004
【図４】
0003550856.tif 000005